(57)【特許請求の範囲】
【請求項１】
上架台と下架台との間に設けた防振架台のストッパ機構であって、
上記上架台及び上記下架台の一方には第１水平板部が、他方には第２水平板部が、それぞれ設けられ、
上記第１水平板部には挿通孔が形成され、
一端側が上記第１水平板部の挿通孔に挿通された状態で、他端側が上記第２水平板部に固定されたボルト部材と、
上記第１水平板部の挿通孔内に設けられた筒状のゴム部材と、
上記ゴム部材内に設けられ、上記ボルト部材に嵌められた筒状の隙間確保部材と、
上記第１水平板部よりも上記ボルト部材の一端側に位置するように上記隙間確保部材に嵌められた環状の第１ストッパ部材と、
上記第１水平板部よりも上記ボルト部材の他端側に位置するように該ボルト部材に嵌められた環状の第２ストッパ部材と、
上記隙間確保部材よりも上記ボルト部材の一端側に位置するように該ボルト部材に嵌められた第１ナット部材と、
上記ボルト部材に嵌められ、上記第１ナット部材と共に上記隙間確保部材を締め付ける第２ナット部材とを備え、
上記隙間確保部材は、上記第１ナット部材と上記第１ストッパ部材との間の隙間及び上記第１水平板部と上記第２ストッパ部材との間の隙間を確保するための部材であり、
上記隙間確保部材及び上記第２ストッパ部材は一体に形成されていることを特徴とする防振架台のストッパ機構。
【請求項２】
請求項１記載の防振架台のストッパ機構において、
上記隙間確保部材における上記第２ストッパ部材とは反対側の端部には、該隙間確保部材による上記隙間の確保を目視確認可能とする目視部が設けられていることを特徴とする防振架台のストッパ機構。
【請求項３】
請求項１又は２記載の防振架台のストッパ機構において、
上記ゴム部材は、上記第１水平板部の挿通孔に嵌められていることを特徴とする防振架台のストッパ機構。
【請求項４】
請求項１〜３のいずれか１つに記載の防振架台のストッパ機構において、
上記第１ストッパ部材の内周面には、上記ボルト部材の一端側から他端側に行くに従って内径が次第に拡径するようにテーパー面が形成されていることを特徴とする防振架台のストッパ機構。
【請求項５】
請求項１〜４のいずれか１つに記載の防振架台のストッパ機構において、
上記第１水平板部は上記上架台に、上記第２水平板部は上記下架台に、それぞれ設けられていることを特徴とする防振架台のストッパ機構。
【発明の詳細な説明】
【技術分野】
【０００１】
本発明は、上架台と下架台との間に設けた防振架台のストッパ機構に関するものである。
【背景技術】
【０００２】
変圧器等の振動発生機器から発生した振動を吸収して、それを基礎等の設置面に伝えないようにする防振架台が従来技術として知られている。従来の防振架台には、振動発生機器が載置される上架台と、この上架台の下側に設けられた下架台と、これらの両架台の間に設けられた防振部材と、両架台の間に設けられ、両架台の相対変位を規制するストッパ機構とが設けられているものがある（例えば、特許文献１参照。）。
【先行技術文献】
【特許文献】
【０００３】
【特許文献１】特開２０１４−１６３５０５号公報
【発明の概要】
【発明が解決しようとする課題】
【０００４】
図６は、従来のストッパ機構を示す部分断面図である。このストッパ機構１０５は、上側水平板部１５０と、下側水平板部１５１と、六角ボルト１５２と、ゴムブッシュ１５３と、内挿管１５４と、ワッシャー１５５と、下部ストッパ１５６と、緩み止めナット１５７とを備えている。上側水平板部１５１は上架台１０２に、下側水平板部１５１は下架台１０３に、それぞれ設けられている。上側水平板部１５０には挿通孔１５０ａが形成されている。六角ボルト１５２は、先端側が上側水平板部１５０の挿通孔１５０ａに挿通された状態で、頭部１５２ａ側が下側水平板部１５１に固定されている。ゴムブッシュ１５３は、上側水平板部１５０の挿通孔１５０ａ内に設けられている。内挿管１５４は、緩み止めナット１５７とワッシャー１５５との間の隙間及び上側水平板部１５０と下部ストッパ１５６との間の隙間を確保するための部材であり、ゴムブッシュ１５３が外嵌されると共に、六角ボルト１５２に嵌められている。ワッシャー１５５は、上側水平板部１５０よりも六角ボルト１５２の先端側に位置するように内挿管１５４に嵌められている。下部ストッパ１５６は、上側水平板部１５０よりも六角ボルト１５２の頭部１５２ａ側に位置するように六角ボルト１５２に嵌められた環状をなす部材である。緩み止めナット１５７は、内挿管１５４よりも六角ボルト１５２の先端側に位置するように六角ボルト１５２に嵌められ、下部ストッパ１５６と共に内挿管１５４を締め付ける。
【０００５】
上述の如く構成されたストッパ機構１０５では、上記隙間を調整するときに、隙間が確保されるように内挿管１５４及び下部ストッパ１５６を移動させる。しかしながら、内挿管１５４及び下部ストッパ１５６が別体であるため、その隙間調整時に内挿管１５４及び下部ストッパ１５６が別々に移動し、その作業に手間を要するという課題がある。
【０００６】
本発明は、かかる点に鑑みてなされたものであり、その課題とするところは、隙間の調整作業を簡単に行うことにある。
【課題を解決するための手段】
【０００７】
上記の課題を解決するため、本発明は、隙間確保部材及び第２ストッパ部材を一体構造としたことを特徴とする。
【０００８】
具体的には、本発明は、上架台と下架台との間に設けた防振架台のストッパ機構を対象とし、次のような解決手段を講じた。
【０００９】
すなわち、第１の発明は、上架台と下架台との間に設けた防振架台のストッパ機構であって、上記上架台及び上記下架台の一方には第１水平板部が、他方には第２水平板部が、それぞれ設けられ、上記第１水平板部には挿通孔が形成され、一端側が上記第１水平板部の挿通孔に挿通された状態で、他端側が上記第２水平板部に固定されたボルト部材と、上記第１水平板部の挿通孔内に設けられた筒状のゴム部材と、上記ゴム部材内に設けられ、上記ボルト部材に嵌められた筒状の隙間確保部材と、上記第１水平板部よりも上記ボルト部材の一端側に位置するように上記隙間確保部材に嵌められた環状の第１ストッパ部材と、上記第１水平板部よりも上記ボルト部材の他端側に位置するように該ボルト部材に嵌められた環状の第２ストッパ部材と、上記隙間確保部材よりも上記ボルト部材の一端側に位置するように該ボルト部材に嵌められた第１ナット部材と、上記ボルト部材に嵌められ、上記第１ナット部材と共に上記隙間確保部材を締め付ける第２ナット部材とを備え、上記隙間確保部材は、上記第１ナット部材と上記第１ストッパ部材との間の隙間及び上記第１水平板部と上記第２ストッパ部材との間の隙間を確保するための部材であり、上記隙間確保部材及び上記第２ストッパ部材は一体に形成されていることを特徴とすることを特徴とするものである。
【００１０】
これによれば、隙間確保部材及び第２ストッパ部材が一体に形成されているので、隙間調整時に一体に形成された隙間確保部材及び第２ストッパ部材が一緒に移動する。そのため、隙間の調整作業を簡単に行うことができる。
【００１１】
第２の発明は、上記第１の発明において、上記隙間確保部材における上記第２ストッパ部材とは反対側の端部には、該隙間確保部材による上記隙間の確保を目視確認可能とする目視部が設けられていることを特徴とするものである。
【００１２】
これによれば、隙間確保部材による隙間の確保を目視確認可能とする目視部が隙間確保部材における第２ストッパ部材とは反対側の端部に設けられているので、隙間ケージ等の隙間の寸法を測定する器具を用いることなく、隙間確保を簡単に確認することができる。
【００１３】
第３の発明は、上記第１又は第２の発明において、上記ゴム部材は、上記第１水平板部の挿通孔に嵌められていることを特徴とするものである。
【００１４】
これによれば、ゴム部材が第１水平板部の挿通孔に嵌められているので、ボルト部材がゴム部材に接触するのが抑制される。そのため、ボルト部材がゴム部材に引っ掛かったりするのを抑制することができる。
【００１５】
第４の発明は、上記第１〜第３のいずれか１つの発明において、上記第１ストッパ部材の内周面には、上記ボルト部材の一端側から他端側に行くに従って内径が次第に拡径するようにテーパー面が形成されていることを特徴とするものである。
【００１６】
これによれば、ボルト部材の一端側から他端側に行くに従って内径が次第に拡径するようにテーパー面が第１ストッパ部材の内周面に形成されているので、たとえボルト部材の他端側から一端側に移動してくる、一体に形成された隙間確保部材及び第２ストッパ部材がボルト部材と軸ずれしていたとしても、そのテーパー面によって一体に形成された隙間確保部材及び第２ストッパ部材が、ボルト部材と軸が略一致するように位置調整される。そのため、第１ストッパ部材が一体に形成された隙間確保部材及び第２ストッパ部材におけるボルト部材の一端側の端部に乗り上げたり引っ掛かったりするのを抑制することができ、各部材を適切な位置に配置することができる。
【００１７】
第５の発明は、上記第１〜第４のいずれか１つの発明において、上記第１水平板部は上記上架台に、上記第２水平板部は上記下架台に、それぞれ設けられていることを特徴とするものである。
【００１８】
これによれば、本発明の最良の実施形態を実現できる。
【発明の効果】
【００１９】
本発明によれば、隙間の調整作業を簡単に行うことができる。
【図面の簡単な説明】
【００２０】
【図１】本発明の実施形態に係る耐震ストッパ機構を採用した防振架台を示す正面図である。
【図２】防振架台を示す平面図である。
【図３】隙間調整後の耐震ストッパ機構を示す部分断面図である。
【図４】一体形成部材を示す正面図である。
【図５】隙間調整前の耐震ストッパ機構を示す部分断面図である。
【図６】従来のストッパ機構を示す部分断面図である。
【発明を実施するための形態】
【００２１】
以下、本発明の実施形態を図面に基づいて詳細に説明する。以下の好ましい実施形態の説明は、本質的に例示に過ぎず、本発明、その適用物或いはその用途を制限することを意図するものではない。
【００２２】
図１〜図３に示すように、防振架台１は、変圧器（不図示）が載置される矩形枠状の上架台２と、この上架台２の下側に上架台２と対向するように設けられ、基礎等の設置面上に設置される矩形枠状の下架台３と、これらの両架台２，３の間に設けられたアイソレーター４と、両架台２，３の間に設けられた耐震ストッパ機構５とを備えている。尚、図１〜図３では、変圧器載置後で且つ隙間調整後（この隙間の詳細は後述する）の状態を示している。
【００２３】
上架台２及び下架台３は、断面矩形状の角形鋼管でそれぞれ構成されている。アイソレーター４は、変圧器から発生して上架台２に伝わってきた振動を絶縁、吸収して、それを下架台３、設置面に伝えないようにするための機器である。アイソレーター４は、両架台２，３の一対の長辺部の間に２つずつ、両架台２，３の一対の短辺部の間に１つずつ、それぞれ設けられている。アイソレーター４の構成の詳細な説明は省略するが、アイソレーター４としては、例えば、従来既知のものが用いられる。
【００２４】
耐震ストッパ機構５は、上架台２や変圧器が地震等の揺れによって転倒するのを防止するとともに、それらの過大な変位を規制するための機構であり、両架台２，３の４つの隅部の間にそれぞれ設けられている。具体的に、耐震ストッパ機構５は、両架台２，３の一方の長辺部（図２では、下側の長辺部）の両端部に１つずつ、両架台２，３の一対の短辺部における他方の長辺部（図２では、上側の長辺部）側の端部に１つずつ、それぞれ設けられている。図３に示すように、耐震ストッパ機構５は、上側耐震ブラケット５０と下側耐震ブラケット５１と六角ボルト５２とゴムブッシュ５３（ゴム部材）と内挿管５４と上側ワッシャー５５（第１ストッパ部材）と下側ワッシャー５６（第２ストッパ部材）と緩み止めナット５７（第１ナット部材）と六角ナット５８（第２ナット部材）とを備えている。
【００２５】
上側耐震ブラケット５０は、金属製のブラケット部材であり、上架台２の外周面に設けられている。上側耐震ブラケット５０は、上架台２の下面よりも下側に位置し且つ水平方向に延びるように設けられた矩形状の上側水平板部５０ａ（第１水平板部）と、この上側水平板部５０ａの上架台２側の端部に上側に延びるように設けられ、上側が上架台２の外周面に溶接された矩形状の上側鉛直板部５０ｂと、上側水平板部５０ａ及び上側鉛直板部５０ｂにおける上架台２の外周面に沿う方向の一端部の間に設けられ、両者を互いに連結する三角形状の上側連結板部５０ｃとを有している。上側水平板部５０ａの中央部には、厚み方向に貫通する円状の挿通孔５０ｄが形成されている。
【００２６】
下側耐震ブラケット５１は、金属製のブラケット部材であり、下架台３の外周面に上側耐震ブラケット５０と上下方向に対向するように設けられている。下側耐震ブラケット５１は、下架台３の上面よりも上側に位置し且つ水平方向に延びるように設けられた矩形状の下側水平板部５１ａ（第２水平板部）と、この下側水平板部５１ａの下架台３側の端部に下側に延びるように設けられ、下側が下架台３の外周面に溶接された矩形状の下側鉛直板部５１ｂと、下側水平板部５１ａ及び下側鉛直板部５１ｂにおける下架台３の外周面に沿う方向の一端部の間に設けられ、両者を互いに連結する三角形状の下側連結板部５１ｃとを有している。下側水平板部５１ａは、上側水平板部５０ａと上下方向に対向するように設けられている。下側水平板部５１ａの中央部には、厚み方向に貫通する円状の固定孔５０ｄが上側水平板部５０ａの挿通孔５０ｄと上下方向に対向するように形成されている。
【００２７】
六角ボルト５２は、金属製のボルト部材であり、上下方向に延び且つ頭部５２ａが下側になるように設けられている。六角ボルト５２の先端側（一端側）は、上側水平板部５０ａの挿通孔５０ｄに軸が略一致するように挿通されている。六角ボルト５２の頭部５２ａ端側（他端側）は、下側水平板部５１ａの固定孔５０ｄに挿通され、頭部５２ａが六角ナット５９と共に下側水平板部５１ａを締め付けることで、下側水平板部５１ａに固定されている。
【００２８】
ゴムブッシュ５３は、六角ボルト５２の、上側水平板部５０ａの挿通孔５０ｄへの当接時におけるその衝撃を緩衝するための部材であり、円筒状の本体部５３ａと、この本体部５３ａの軸方向両端部に径方向外側に延びるように設けられた円状をなす一対の鍔部５３ｂとを有している。本体部５３ａの外径は、上側水平板部５０ａの挿通孔５０ｄの孔径と略同一である。ゴムブッシュ５３は、両鍔部５３ｂの間に上側水平板部５０ａの挿通孔５０ｄ外周縁部を挟み込んだ状態で、挿通孔５０ｄに軸が略一致するように内嵌されている。このように、鍔部５３ｂによってゴムブッシュ５３が上側水平板部５０ａの挿通孔５０ｄに確実に保持される。
【００２９】
内挿管５４は、緩み止めナット５７と上側ワッシャー５５との間の隙間ｄ１（以下、「上側の隙間」ともいう）及び上側水平板部５０ａと下側ワッシャー５６との間の隙間ｄ２（以下、「下側の隙間」ともいう）をそれぞれ所定寸法（例えば、約２ｍｍ）だけ確保するための円筒状をなす金属製の隙間確保部材である。この所定寸法は、上架台２及び下架台３の上下方向の相対変位が小変位になるように設定される。内挿管５４の軸長は、上下の隙間ｄ１，ｄ２が所定寸法になるように設定される。内挿管５４の外径は、ゴムブッシュ５３の本体部５３ａの内径よりも小さい。内挿管５４は、ゴムブッシュ５３の本体部５３ａ内に本体部５３ａとの間に隙間が空くように設けられ、六角ボルト５２に軸方向移動可能に外嵌されている。内挿管５４は、上下の隙間ｄ１，ｄ２の調整後に、上側ワッシャー５５の上面よりも上側に、上側水平板部５０ａの下面よりも下側に、それぞれ所定寸法だけ突出する。図４に示すように、内挿管５４の上端部（下側ワッシャー５６とは反対側の端部）の外周面には、内挿管５４による上下の隙間ｄ１，ｄ２の確保を目視確認可能とする一定幅（例えば、約２ｍｍ）を持つ水色の印ｍ（目視部）がインク等で付けられている。この一定幅は、上側の隙間ｄ１と略同一である。上下の隙間ｄ１，ｄ２の調整作業時（この作業の詳細は後述する）に、内挿管５４が上側ワッシャー５５よりも上側に突出し、内挿管５４にマーキングされた印ｍが作業者に略全部見えたら、それらの隙間ｄ１，ｄ２がそれぞれ所定寸法だけ確保される（内挿管５４が上側ワッシャー５５の上面よりも上側に、上側水平板部５０ａの下面よりも下側に、それぞれ所定寸法だけ突出した）ことを意味する。尚、作業者の見る方向は、例えば、斜め下方向である。
【００３０】
図３に示すように、上側ワッシャー５５は、上架台２や変圧器が地震等によって大きく振動したときに上架台２及び下架台３の上下方向の相対変位を規制するための円環状をなす金属製のストッパ部材である。上側ワッシャー５５は、ゴムブッシュ５３の上端面（上側水平板部５０ａの上面）よりも上側（六角ボルト５２の先端側）に位置するように内挿管５４に軸方向移動可能に内嵌されている。上側ワッシャー５５の上端部は、内径が一定径である。この一定径は、内挿管５４の外径よりも僅かに大きい。それにより、内挿管５４にマーキングされた印ｍの見え方のばらつきが抑制される。上側ワッシャー５５の上端部以外の部分の内周面には、上側から下側に行くに従って内径が次第に直線的に拡径するようにテーパー面５５ａが形成されている。上側ワッシャー５５の内径は、上側水平板部５０の挿通孔５０ｄの孔径よりも小さい。それにより、緩み止めナット５７が挿通孔５０ｄから抜け落ちるのが抑制される。
【００３１】
下側ワッシャー５６は、上架台２や変圧器が地震等によって大きく振動したときに上架台２及び下架台３の上下方向の相対変位を規制するための円環状をなす金属製のストッパ部材である。下側ワッシャー５６は、ゴムブッシュ５３の下端面（上側水平板部５０ａの下面）よりも下側（六角ボルト５２の頭部５２ａ端側）に位置するように六角ボルト５２に軸方向移動可能に外嵌されている。下側ワッシャー５６の外径は、内挿管５４の外径よりも大きい。下側ワッシャー５６の内径は、内挿管５４の内径と略同一である。下側ワッシャー５６の内周縁部の上面には、内挿管５４の下端面が当接、溶接されている。それにより、内挿管５４及び下側ワッシャー５６は、一体に形成された一体可動式の部材をなす（以下、この一体可能式の部材を、一体形成部材６０ともいう）。
【００３２】
緩み止めナット５７は、金属製のナット部材であり、内挿管５４の上端面よりも上側に位置するように六角ボルト５２に嵌められている。緩み止めナット５７は、上下の隙間ｄ１，ｄ２の調整後に、内挿管５４の上端面に当接する。
【００３３】
六角ナット５８は、金属製のナット部材であり、下側ワッシャー５６の下面よりも下側に位置するように六角ボルト５２に嵌められている。六角ナット５８は、緩み止めナット５７と共に一体形成部材６０を締め付ける。それにより、ネジロック剤等の接着剤を用いることなく、一体形成部材６０が固定される。
【００３４】
以下、上下の隙間ｄ１，ｄ２の調整作業手順を図３及び図５を参照しながら説明する。尚、図５に示すように、この調整前に、六角ボルト５２の頭部５２ａ端側を下側水平板部５１ａに固定し、六角ナット５８を下側に移動するように回すことで、一体形成部材６０を下側（図５では、六角ナット５８が六角ナット５９に当接する下限位置）に移動させた後に、変圧器を上架台２に載置する。
【００３５】
まず、六角ナット５８を上側に移動するように回すことで、一体形成部材６０を上側に移動させる（図５の矢印を参照）。この上側移動によって、内挿管５４にマーキングされた水色の印ｍ（図４を参照）が作業者に略全部見えたら、六角ナット５８を回すのを停止する。それにより、下側ワッシャー５６が、上側水平板部５０ａと下側ワッシャー５６との間の隙間ｄ２が所定寸法だけ確保される所定位置に固定される。このとき、内挿管５４が上側ワッシャー５５の上面よりも上側に所定寸法だけ突出する。
【００３６】
その後、緩み止めナット５７を下側に移動するように回す。そして、図３に示すように、緩み止めナット５７が内挿管５４の上端面に当接したら、緩み止めナット５７を回すのを停止する。それにより、緩み止めナット５７が、緩み止めナット５７と上側ワッシャー５５との間の隙間ｄ１が所定寸法だけ確保される所定位置に固定される。
【００３７】
以上により、上下の隙間ｄ１，ｄ２の調整作業が完了する。
【００３８】
上述の如く構成された防振架台１によれば、変圧器の作動時には、変圧器から発生して上架台２に伝わってきた振動がアイソレーター４によって絶縁、吸収され、それが下架台３、設置面に伝わることが抑制される。
【００３９】
上架台２や変圧器が地震等によって大きく振動したときには、上側ワッシャー５５が緩み止めナット５７に、上側水平板部５０ａがゴムブッシュ５３を介して下側ワッシャー５６に、それぞれ当接することで、上架台２及び下架台３の上下方向の相対変位が規制される。また、六角ボルト５２がゴムブッシュ５３を介して上側水平板部５０ａの挿通孔５０ｄに当接することで、上架台２及び下架台３の水平方向の相対変位が規制される。
【００４０】
−効果−
以上より、本実施形態によれば、内挿管５４及び下側ワッシャー５６が一体に形成されているので、隙間ｄ１，ｄ２調整時に一体に形成された内挿管５４及び下側ワッシャー５６が一緒に移動する。そのため、上下の隙間ｄ１，ｄ２の調整作業を簡単に行うことができる。
【００４１】
また、内挿管５４による上下の隙間ｄ１，ｄ２の確保を目視確認可能とする印ｍが内挿管５４における下側ワッシャー５６とは反対側の端部に設けられているので、隙間ケージ等の隙間の寸法を測定する器具を用いることなく、隙間ｄ１，ｄ２確保を簡単に確認することができる。
【００４２】
また、ゴムブッシュ５３が上側水平板部５０ａの挿通孔５０ｄに嵌められているので、六角ボルト５２がゴムブッシュ５３に接触するのが抑制される。そのため、六角ボルト５２がゴムブッシュ５３に引っ掛かったりするのを抑制することができる。
【００４３】
また、六角ボルト５２の先端側から頭部５２ａ端側に行くに従って内径が次第に拡径するようにテーパー面５５ａが上側ワッシャー５５の内周面に形成されているので、たとえ六角ボルト５２の頭部５２ａ端側から先端側に移動してくる、一体形成部材６０が六角ボルト５２と軸ずれしていたとしても、そのテーパー面５５ａによって一体形成部材６０が、六角ボルト５２と軸が略一致するように位置調整される。そのため、一体形成部材６０が六角ボルト５２に引っ掛かったりするのを抑制することができる。そのため、上側ワッシャー５５が一体形成部材６０（内挿管５４）の上端部に乗り上げたり引っ掛かったりするのを抑制することができ、各部材を適切な位置に配置することができる。
【００４４】
（その他の実施形態）
上記実施形態では、上架台２及び下架台３を矩形枠状としたが、これに限らず、例えば、枠状以外の形状としてもよい。
【００４５】
また、上記実施形態では、上架台２に変圧器を載置したが、これに限らず、例えば、エアコン室外機を載置してもよい。
【００４６】
また、上記実施形態では、上側水平板部５０ａを上架台２に上側鉛直板部５０ｂを介して、下側水平板部５１ａを下架台３に下側鉛直板部５１ｂを介して、それぞれ設けたが、これに限らず、例えば、上側水平板部５０ａを上架台２に直接的に、下側水平板部５１ａを下架台３に直接的に、それぞれ設けてもよい。
【００４７】
また、上記実施形態では、ボルト部材を六角ボルト５２としたが、これに限らず、例えば、長ネジボルトとしてもよい。
【００４８】
また、上記実施形態では、六角ボルト５２を下側水平板部５１ａにリジッド固定したが、弾性固定してもよい。
【００４９】
また、上記実施形態では、ゴムブッシュ５３を本体部５３ａと一対の鍔部５３ｂとで構成したが、これに限らず、例えば、本体部５３ａのみで構成してもよい。
【００５０】
また、上記実施形態では、上下の隙間ｄ１，ｄ２が確保すべき所定寸法を同一の大きさとしたが、異なる大きさとしてもよい。
【００５１】
また、上記実施形態では、六角ナット５８及び一体形成部材６０を別体に形成したが、一体に形成してもよい。そうすれば、隙間ｄ１，ｄ２調整の作業性がより一層向上する。
【００５２】
また、上記実施形態では、目視部を水色の印ｍとしたが、これに限らず、例えば、水色以外の色（例えば、黄色）の印ｍとしてもよく、刻印や溝としてもよい。尚、隙間ｄ１，ｄ２調整の作業性の点で、目視部を暗がりでも見易いものとするのが望ましい。
【００５３】
また、上記実施形態では、ゴムブッシュ５３を上側水平板部５０ａの挿通孔５０ｄに内嵌したが、内挿管５４に外嵌してもよい（図６を参照）。
【００５４】
また、上記実施形態では、六角ボルト５２の先端側を上側水平板部５０ａの挿通孔５０ｄに挿通した状態で、頭部５２ａ端側を下側水平板部５１ａに固定したが、六角ボルト５２の先端側を下側水平板部５１ａに形成した挿通孔に挿通した状態で、頭部５２ａ端側を上側水平板部５０ａに固定してもよい。
【００５５】
また、上記実施形態では、第２ストッパ部材（下側ワッシャー５６）及び第２ナット部材（六角ナット５８）を別部材として設けたが、第２ストッパ部材兼用第２ナット部材の部材を設けてもよい。この兼用部材は、緩み止めナット５７と共に内挿管５４を締め付ける。
【産業上の利用可能性】
【００５６】
以上説明したように、本発明に係るストッパ機構は、隙間の調整作業を簡単に行うことが必要な用途等に適用することができる。
【符号の説明】
【００５７】
１      防振架台
２      上架台
３      下架台
５      耐震ストッパ機構
５０ａ  上側水平板部（第１水平板部）
５０ｄ  挿通孔
５１ａ  下側水平板部（第２水平板部）
５２    六角ボルト（ボルト部材）
５３    ゴムブッシュ（ゴム部材）
５４    内挿管（隙間確保部材）
５５    上側ワッシャー（第１ストッパ部材）
５５ａ  テーパー面
５６    下側ワッシャー（第２ストッパ部材）
５７    緩み止めナット（第１ナット部材）
５８    六角ナット（第２ナット部材）
ｄ１    緩み止めナットと上側ワッシャーとの間の隙間
ｄ２    上側水平板部と下側ストッパとの間の隙間
ｍ      印（目視部）
【図１】
0006499920.tif 000002
【図２】
0006499920.tif 000003
【図３】
0006499920.tif 000004
【図４】
0006499920.tif 000005
【図５】
0006499920.tif 000006
【図６】
0006499920.tif 000007